(57)【要約】【課題】構造が簡単で、製造が容易な上に、製造コストも抑えられた複合式ボールバットの提供。【解決手段】所定の軸線方向に沿って延伸しており、該軸線に向かって互いに接合された複数の木材製棒状部材１１から構成され、打球部１０１と、グリップエンド部１０２と、これらの間に位置するグリップ部１０３とを有し、各棒状部材１１は、それぞれ接合面１１１と、打球部１０１側において接合面１１１から窪んで形成された上部溝１１２と、グリップ部１０３側において上部溝１１２と間隔をおいて接合面１１１から窪んで形成された下部溝１１３と、これら上下部溝１１２、１１３の間に位置して該間隔を形成する間隔部１１４とを有するバット本体１０と；上部溝１１２に嵌入されている上部芯管２０と；下部溝１１３に嵌入されている下部芯管３０と；を具えていることを特徴とする複合式ボールバット。【選択図】  図１
0003187114.tif 000002
【実用新案登録請求の範囲】
【請求項１】
所定の軸線方向に沿って長手状に延伸し、前記軸線に向かって互いに接合された複数の木材製棒状部材から構成され、前記軸線方向の一端側に位置する打球部と、他端側に位置するグリップエンド部と、これらの間に位置するグリップ部とを有し、各前記棒状部材は、それぞれ少なくとも１つの接合面と、前記打球部側において前記接合面から窪むように形成された上部溝と、前記グリップ部側において前記上部溝と前記軸線方向に間隔をおいて前記接合面から窪むように形成された下部溝と、前記上部溝および前記下部溝の間に位置して前記間隔を形成する間隔部とを有しており、前記上部溝は、前記軸線方向に沿った両端に前記軸線方向に沿って対向する一対の上部側壁を有し、前記下部溝は、前記軸線方向に沿った両端に前記軸線方向に沿って対向する一対の下部側壁を有するバット本体と、
前記バット本体の前記打球部側の内部に配置されるように前記上部溝に嵌入されており、前記軸線方向に沿った両端に前記一対の上部側壁にそれぞれ当接する両端部を有する中空管状の上部芯管と、
前記バット本体の前記グリップ部側の内部に配置されるように前記下部溝に嵌入されており、前記軸線方向に沿った両端に前記一対の下部側壁にそれぞれ当接する両端部を有する中空管状の下部芯管と、
を具えていることを特徴とする複合式ボールバット。
【請求項２】
前記バット本体は、それぞれ前記接合面を１つずつ有する２本の前記棒状部材がそれぞれの前記接合面を接合されてなる
ことを特徴とする請求項１に記載の複合式ボールバット。
【請求項３】
前記棒状部材は、前記打球部に対応する部分における前記軸線に対して垂直な断面がほぼ半円形をなすと共に、前記グリップ部に対応する部分における前記軸線に対して垂直な断面がほぼ半楕円形をなし、
前記グリップエンド部は、前記軸線と垂直な１つの平面に対して傾いた他の平面に沿って設けられていると共に、前記軸線に対して垂直な断面がほぼ半楕円形をなす
ことを特徴とする請求項２に記載の複合式ボールバット。
【請求項４】
前記上部溝の前記軸線と直交する方向における前記接合面からの深さは、前記下部溝の前記軸線と直交する方向における前記接合面からの深さよりも深く、
前記上部芯管は、前記下部芯管よりも、外径が大きい
ことを特徴とする請求項２に記載の複合式ボールバット。
【請求項５】
前記上部芯管が、カーボン繊維およびアルミニウムのいずれかを含む
ことを特徴とする請求項１に記載の複合式ボールバット。
【請求項６】
前記下部芯管が、カーボン繊維およびアルミニウムのいずれかを含む
ことを特徴とする請求項１に記載の複合式ボールバット。
【考案の詳細な説明】
【技術分野】
【０００１】
本考案は、ボールバットに関し、特に異なる材質を複合させてなった複合式ボールバットに関するものである。
【背景技術】
【０００２】
野球やソフトボール用のバットとしては、製造コストが比較的低い木製バットが広く用いられている。しかし、木製バットは、構造強度が比較的低いため打球時に折れることがある。また、比較的重いため、スイングに力がかかり打球性能に劣るうえに、ボールに当たった際の振動が大きいので、いわゆるスポーツ障害の原因にもなる。
【０００３】
上述の欠点を改善するために、異なる材質を複合させてなった複合式ボールバットが知られている（特許文献１参照）。これは、繊維強化プラスチックからなるグリップ部側芯管を振動吸収性のある発泡材料層で包んで形成したグリップ部材と、同じく繊維強化プラスチックからなりグリップ部側芯管よりも外径が大きい打球部側芯管を木質材料層で包んで形成した打球部材とを、互いの芯管の端部同士を繋ぎ合わせることで、１本のボールバットと成したものである。しかし、このような構造のボールバットでは、スイング時などにバットの両端から各芯管が抜けるのを防ぐため、グリップ部材の後端と打球部材の前端にそれぞれ栓を詰めることが必要となり、製造時にこれらを組み合わせるために余計な手間がかかる。また、両方の芯管の端部同士が径方向に重なるように接続されているので、打球時における打球部材側の振動がグリップ部材側に伝わりやすい。
【０００４】
また、両端に開口を有する木材製の主体の内部に繊維強化プラスチックからなる芯管を少なくとも１本挿置して、その芯管の内部にバランスウェイトを少なくとも１個配した複合式ボールバットも知られている（特許文献２参照）。このようなボールバットも、異なる材料が複合してなっているので、上述した木製バットの欠点が改善されているが、やはり芯管が抜けるのを防ぐため主体の両端開口に詰め物をしなくてはならない上に、ボールバットの重心を調整するためのバランスウェイトを配置しなくてはならず、製造時にこれらを組み合わせるのに余計な手間がかかる。
【先行技術文献】
【特許文献】
【０００５】
【特許文献１】米国特許６，９２９，５７３号公報
【特許文献２】中国特許０３１５８９７０．７号公報
【考案の概要】
【考案が解決しようとする課題】
【０００６】
本考案は、上記従来技術の問題点に鑑みてなされたものであり、その目的は、構造が簡単で、製造がしやすい上に製造コストも抑えられた複合式ボールバットの提供にある。
【課題を解決するための手段】
【０００７】
上記目的を達成するための手段として、本考案は、以下にそれぞれ詳説するバット本体と、上部芯管と、下部芯管とを具えた複合式ボールバットを提供する。
前記バット本体は、所定の軸線方向に沿って長手状に延伸し、前記軸線に向かって互いに接合された複数の木材製棒状部材から構成され、前記軸線方向の一端側に位置する打球部と、他端側に位置するグリップエンド部と、これらの間に位置するグリップ部とを有し、各前記棒状部材は、それぞれ少なくとも１つの接合面と、前記打球部側において前記接合面から窪むように形成された上部溝と、前記グリップ部側において前記上部溝と前記軸線方向に間隔をおいて前記接合面から窪むように形成された下部溝と、前記上部溝および前記下部溝の間に位置して前記間隔を形成する間隔部とを有しており、前記上部溝は、前記軸線方向に沿った両端に前記軸線方向に沿って対向する一対の上部側壁を有し、前記下部溝は、前記軸線方向に沿った両端に前記軸線方向に沿って対向する一対の下部側壁を有する。
前記上部芯管は、中空管状であり、前記バット本体の前記打球部側の内部に配置されるように前記上部溝に嵌入されており、前記軸線方向に沿った両端に前記一対の上部側壁にそれぞれ当接する両端部を有する。
前記下部芯管は、中空管状であり、前記バット本体の前記グリップ部側の内部に配置されるように前記下部溝に嵌入されており、前記軸線方向に沿った両端に前記一対の下部側壁にそれぞれ当接する両端部を有する。
【０００８】
また、本考案に係る複合式ボールバットにおいて、前記バット本体は、それぞれ前記接合面を１つずつ有する２本の前記棒状部材がそれぞれの前記接合面を接合されてなることが好ましい。
【０００９】
また、前記棒状部材は、前記打球部に対応する部分における前記軸線に対して垂直な断面がほぼ半円形をなすと共に、前記グリップ部に対応する部分における前記軸線に対して垂直な断面がほぼ半楕円形をなし、前記グリップエンド部は、前記軸線と垂直な１つの平面に対して傾いた他の平面に沿って設けられていると共に、前記軸線に対して垂直な断面がほぼ半楕円形をなすことが好ましい。
【００１０】
また、前記上部溝の前記軸線と直交する方向における前記接合面からの深さは、前記下部溝の前記軸線と直交する方向における前記接合面からの深さよりも深く、前記上部芯管は前記下部芯管よりも外径が大きいことが好ましい。
【００１１】
更に、前記上部芯管が、その材料としてカーボン繊維およびアルミニウムのいずれかを含み、前記下部芯管も同様に、その材料としてカーボン繊維およびアルミニウムのいずれかを含むことが好ましい。
【考案の効果】
【００１２】
上記手段によれば、上部芯管および下部芯管がそれぞれ上部溝および下部溝に嵌入されるようにしてバット本体の内部に設けられていることから、上記従来の複合式ボールバットにおいて各芯管が抜けるのを防ぐために用いられた詰め物が必要ないので、構造が簡単で製造が容易な上に製造コストも抑えられた複合式ボールバットを提供することができる。
【図面の簡単な説明】
【００１３】
【図１】本考案に係る複合式ボールバットの実施形態を示す縦断面図である。
【図２】上記実施形態の作成態様を示す分解図である。
【図３】上記実施形態を示す側面図である。
【図４】図３におけるＩＶ‐ＩＶ線に沿った横断面上面図である。
【考案を実施するための形態】
【００１４】
以下、添付図面を参照しながら、本考案の具体的な実施形態を詳細に説明する。
【００１５】
図１には、本考案に係る複合式ボールバットの第１の実施形態が縦断面図で示されており、該形態は、バット本体１０、上部芯管２０、下部芯管３０とを含んでいる。
【００１６】
バット本体１０は、所定の軸線Ｌに沿って長手状に延伸しており、互いに軸線Ｌに向かって対向するように、つまり軸線Ｌと直交する方向に沿って対向するように接合された複数の木材製の棒状部材１１により構成されている。また、バット本体１０は、軸線Ｌに沿う方向（以下、軸線方向）の一端側（図１における上端側）に位置する打球部１０１と、軸線方向の他端側（図１における下端側）に位置するグリップエンド部１０２と、これら打球部１０１およびグリップエンド部１０２の間に位置するグリップ部１０３とを有している。
【００１７】
各棒状部材１１は、それぞれ少なくとも１つの接合面１１１と、打球部１０１側において接合面１１１から軸線Ｌと直交する方向に沿って窪むように形成された上部溝１１２と、グリップ部１０３側において上部溝１１２と上記軸線方向に間隔を置いて接合面１１１から窪むように形成された下部溝１１３と、上部溝１１２および下部溝１１３の間に位置して上記間隔を形成する間隔部１１４とを有している。なお、上部溝１１２と下部溝１１３とは、それぞれ棒状部材１１の延伸方向に沿って長手状に延伸している。また、本実施形態においては、棒状部材１１は２本用いられており、該２本の棒状部材１１はそれぞれ接合面１１１を１つずつ有しており、互いの対応する上部溝１１２同士および下部溝１１３同士が合わさってそれぞれ内部空間を画成するように接合面１１１が接合されることによりバット本体１０を成している。
【００１８】
上部溝１１２は、上記軸線方向に沿った両端に、つまりその長手方向両端に、軸線方向に沿って対向する１対の上部側壁１１５、１１５を有している。
【００１９】
下部溝１１３は、上記軸線方向に沿った両端に、つまりその長手方向両端に、軸線方向に沿って対向する１対の下部側壁１１６、１１６を有している。
【００２０】
なお、上部溝１１２の軸線Ｌと直行する方向における接合面１１１からの深さは、下部溝１１３のそれよりも深い。言い換えれば、各棒状部材１１同士が接合された際に、上部溝１１２同士が合わさって画成する空間は下部溝１１３同士が合わさって画成する空間よりも大きい。
【００２１】
上部芯管２０は、長さが上部溝１１２の長さに対応するように且つ中空管状に形成されており、その長さ方向、つまり上記軸線方向両端に１対の両端部２１、２１を有している。また、上部芯管２０は、バット本体１０の打球部１０１側の内部に配置されるように上部溝１１２に嵌め入れられており、その両端部２１、２１がそれぞれ上部溝１１２の上部側壁１１５、１１５に当接している。なお、上部芯管２０の材質としてはカーボン繊維などを含んだ繊維強化プラスチック、あるいはアルミニウム等の金属を用いることができる。
【００２２】
下部芯管３０は、長さが下部溝１１３の長さに対応するように且つ中空管状に形成されており、その長さ方向、つまり上記軸線方向両端に１対の両端部３１、３１を有している。また、下部芯管３０は、バット本体１０のグリップ部１０３側の内部に配置されるように下部溝１１３に嵌め入れられており、その両端部３１、３１がそれぞれ下部溝１１３の下部側壁１１６、１１６に当接している。なお、下部芯管３０の材質としては、上部芯管２０と同様に、カーボン繊維などを含んだ繊維強化プラスチック、あるいはアルミニウム等の金属を用いることができる。
【００２３】
なお、本実施形態においては、上部芯管２０が上部溝１１２に、下部芯管３０が下部溝１１３にそれぞれ密嵌されるように、上部芯管２０の外径は下部芯管３０の外径よりも大きい。
【００２４】
以下に、図２を参照に、上記実施形態を作成する方法を示す。
【００２５】
まず、長手方向に沿って切った断面が矩形を成す長手状の材木１００（棒状部材１１となる材料）を２本用意し、それぞれの長手方向に沿って接合面１１１を設け、それぞれの接合面１１１に上部溝１１２と下部溝１１３とを１つずつ設けた後に、上部芯管２０をいずれかの材木１００の上部溝１１２に、また、下部芯管３０をいずれかの材木１００の下部溝１１３にそれぞれ嵌め入れてから、該２本の材木１００を互いの上部溝１１２および下部溝１１３同士が合わさるように接合面１１１同士を接着剤を用いて貼り合わせる。材木１００同士の接着が固定してから、次に、材木１００が棒状部材１１として形成されるようにその外側に対して加工を施すと、図１に示したような、上部芯管２０および下部芯管３０がその内部に嵌入されており且つ打球部１０１、グリップエンド部１０２、グリップ部１０３とを有するバット本体１０からなる本考案に係る複合式ボールバットを得ることができる。このように上部芯管２０および下部芯管３０はバット本体１０に封入されるので、上述した従来の複合式ボールバットのように、各芯管が抜けるのを防ぐためにバット本体１０の端部に栓を設ける必要がないので、本考案に係る複合式ボールバットは、簡易な製造工程と低い製造コストで製造することができる。また、上部溝１１２と下部溝１１３との間に位置する間隔部１１４は木材が充実した部分であるので、重りとしての機能も具え、これにより本考案においては別にバランスウェイトをバット本体１０内に設ける必要がない。
【００２６】
図３は、上記実施形態を側面から見た図であり、図４は、図３におけるＩＶ‐ＩＶ線で切った断面を上から見た図である。図示されているように、バット本体１０を構成する棒状部材１１は、グリップ部１０３に対応する部分における軸線Ｌに対して垂直な断面（つまり、図３におけるＩＶ‐ＩＶ線で切った断面）がほぼ半楕円形状をなしている（図４参照）。また、グリップエンド部１０２は、軸線Ｌと垂直な１つの平面（例えば図３におけるＩＶ‐ＩＶ線で切った断面）に対して傾いた他の平面Ｐに沿って設けられている。また、グリップエンド部１０２は軸線Ｌに対して垂直な断面がほぼ半楕円形状をなしている（図４参照）。
【００２７】
上記の形状により、使用者がグリップ部１０３を握った際には、掌の手首に近い部分（いわゆる掌底）とグリップエンド部１０２の上側周面との接触面積が比較的大きくなり、安定してバット本体１０を把持することができるので、バット本体１０が振りやすく、打球しやすい。
【００２８】
なお、上述のように、棒状部材１１は、グリップ部１０３に対応する部分においては軸線Ｌに対して垂直な断面がほぼ半楕円形状を成しているが、打球部１０１に対応する部分においては軸線Ｌに対して垂直な断面がほぼ半円形状を成している。
【００２９】
以上、本考案に係る複合式ボールバットの構造を説明したが、これにより得られる効果として以下の点が挙げられる。
【００３０】
まず、バット本体１０が木材製であり、上部芯管２０および下部芯管３０がカーボン繊維またはアルミニウムからなっており、いずれも材料が取得しやすく、加工が容易で、コストが低い。また全体の重量が比較的軽いので、打球性能に優れると共に振動抑制効果も高い。
【００３１】
また、棒状部材１１にそれぞれ形成された上部溝１１２および下部溝１１３とに上部芯管２０および下部芯管３０とが封入されるように密嵌されているので、従来構造の複合式ボールバットのように、各芯管が抜けるのを防ぐための栓を設ける必要がなく、これにより構造がより簡易になり、製造コストが安くなる。
【００３２】
更に、上部溝１１２および下部溝１１３は間隔部１１４により離間しており、上部芯管２０と下部芯管３０がバット本体１０の延伸方向（軸線Ｌに沿った方向）と直交する径方向に重なっていないので、打球時において打球部１０１側の振動がグリップ部１０３側に伝わりにくい。
【００３３】
また、間隔部１１４が重りの機能を具えており、間隔部１１４の位置を調製することでボールバット全体の重心を調整することができ、別に重りを配置する必要が省かれている。
【００３４】
以上、本考案の好ましい実施形態を説明したが、本考案はこれに限定されるものではなく、その要旨を逸脱しない範囲で種々変更可能であることはいうまでもない。
【００３５】
例えば、上述した実施形態においてはそれぞれ接合面１１１を１つずつ有する２本の棒状部材のそれぞれの接合面を接合することでバット本体１０を構成したが、変化例として、それぞれ接合面を２つずつ有する３本の棒状部材のそれぞれの接合面を互いに合わせるようして１つのバット本体を構成するようにすることもできる。
【産業上の利用可能性】
【００３６】
本考案に係る複合式ボールバットは、野球やソフトボール用のバットとして有用である。
【符号の説明】
【００３７】
１０          バット本体
１０１        打球部
１０２        グリップエンド部
１０３        グリップ部
１１          棒状部材
１１１        接合面
１１２        上部溝
１１３        下部溝
１１４        間隔部
１１５        上部側壁
１１６        下部側壁
２０          上部芯管
２１          両端部
３０          下部芯管
３１          両端部
【図１】
0003187114.tif 000003
【図２】
0003187114.tif 000004
【図３】
0003187114.tif 000005
【図４】
0003187114.tif 000006